(57)【要約】【課題】ＰＳＥ（Ｐｏｗｅｒ  Ｓｏｕｒｃｉｎｇ  Ｅｑｕｉｐｍｅｎｔ）に接続されたネットワークカメラの使用電力がＰＳＥの供給可能電力量を上回ることのないように制御を行う。【解決手段】特定の消費電力を使用可能であるかをネットワーク上のほかのネットワークカメラ１０３に問い合わせを行う前に、自機の管理する総消費電力量を確認する（ステップＳ３０１）。さらに、動作を行うことが可能であるかの判定を行う（ステップＳ３０２）。自機の管理する総消費電力量とこれから使用する消費電力量の和が予め設定された使用可能総消費電力量を上回る場合には、動作不許可と判定を行う。【選択図】  図３
2008141878.tif 000002
【特許請求の範囲】
【請求項１】
ネットワークに接続された１つまたは複数のネットワーク機器を特定のグループとして管理する管理工程と、
前記特定のグループ内で使用可能な電力量を設定する設定工程と、
前記ネットワーク機器が相互に通信を行い、前記特定のグループ内で使用されている総電力量を算出する総電力量算出工程と、
前記総電力量をそれぞれの前記ネットワーク機器内に記憶する記憶工程と、
動作を行なうために必要な電力量と前記総電力量とから動作することが可能かを判定する判定工程と、を有することを特徴とする消費電力管理方法。
【請求項２】
前記ネットワークに接続されたネットワーク機器に、前記特定のグループ内の他のネットワーク機器に対して電力消費の可否を問い合わさせる問い合わせ工程を更に有することを特徴とする請求項１に記載の消費電力管理方法。
【請求項３】
ネットワークに接続された１つまたは複数のネットワーク機器を特定のグループとして管理する管理手段と、
前記特定のグループ内で使用可能な電力量を設定する設定手段と、
前記ネットワーク機器が相互に通信を行い、前記特定のグループ内で使用されている総電力量を算出する総電力量算出手段と、
前記総電力量をそれぞれの前記ネットワーク機器内に記憶する記憶手段と、
動作を行なうために必要な電力量と前記総電力量とから動作することが可能かを判定する判定手段と、を備えたことを特徴とする消費電力管理装置。
【請求項４】
前記特定のグループ内の他のネットワーク機器に対して電力消費の可否を問い合わさせる問い合わせ手段を更に備えたことを特徴とする請求項３に記載の消費電力管理装置。
【発明の詳細な説明】
【技術分野】
【０００１】
本発明は、ネットワークに接続される機器の供給可能電力量に応じて機器の制御を行なうようにする消費電力管理方法、消費電力管理装置に関する。
【背景技術】
【０００２】
従来、全消費電力を検出する消費電力量検出手段を設け、全ての機器の消費電力の検出を行なうことにより全消費電力量を検出し、全消費電力量が所定消費量以上となった場合に低下制御を行ない、全消費電力を所定消費電力以下に押える制御を行なっていた。
【０００３】
【特許文献１】特開平１０−９４１７０号公報
【発明の開示】
【発明が解決しようとする課題】
【０００４】
上記のような制御を行う場合、家庭内のＡＣ電源のように電力消費が一定時間を越えた後にブレーカが落ちるようなシステムでは問題とはならなかった。
【０００５】
しかし、供給可能電力量の少ないＰｏＥ（Ｐｏｗｅｒ  ｏｖｅｒ  Ｅｔｈｅｒｎｅｔ（登録商標））システムでは一定消費電力を越えた場合に一定時間をおかずに電力供給が不安定になり、既に稼働しているシステムが再起動してしまうなどの問題があった。
【０００６】
また、全消費電力を検出する検出装置を新たに設置するとともに、全消費電力検出装置と通信を行いながら機器の制御を行う必要がある。そのため、システム内にひとつ設置されている全消費電力検出装置に不具合が生じた場合にネットワーク接続されたすべての機器の消費電力管理機能が正しく動作しないといった問題もある。
【課題を解決するための手段】
【０００７】
本発明の消費電力管理方法は、ネットワークに接続された１つまたは複数のネットワーク機器を特定のグループとして管理する管理工程と、前記特定のグループ内で使用可能な電力量を設定する設定工程と、前記ネットワーク機器が相互に通信を行い、前記特定のグループ内で使用されている総電力量を算出する総電力量算出工程と、前記総電力量をそれぞれの前記ネットワーク機器内に記憶する記憶工程と、動作を行なうために必要な電力量と前記総電力量とから動作することが可能かを判定する判定工程と、を有することを特徴とする。
また、発明の消費電力管理装置は、ネットワークに接続された１つまたは複数のネットワーク機器を特定のグループとして管理する管理手段と、前記特定のグループ内で使用可能な電力量を設定する設定手段と、前記ネットワーク機器が相互に通信を行い、前記特定のグループ内で使用されている総電力量を算出する総電力量算出手段と、前記総電力量をそれぞれの前記ネットワーク機器内に記憶する記憶手段と、動作を行なうために必要な電力量と前記総電力量とから動作することが可能かを判定する判定手段と、を備えたことを特徴とする。
【発明の効果】
【０００８】
本発明は、特定のＰＳＥ（Ｐｏｗｅｒ  Ｓｏｕｒｃｉｎｇ  Ｅｑｕｉｐｍｅｎｔ）に接続されたネットワークカメラの使用電力がＰＳＥの供給可能電力量を上回ることのないように制御を行う。これにより、供給電力不足によるシステムダウンを回避することを可能となる。
【０００９】
また、個々の機器がそれぞれ消費電力量を通知し合うことで、消費電力量検出手段を設けることなく、システム全体の消費電力量を検出する。これにより、個々の機器はシステム全体の消費電力量を改めて取得することなく、機器内部で保持することが可能となる。また、全消費電力量が特定消費電力量を越えている場合には、通信を行なうことなしに消費電力量を増加させる動作を行なわないように制御することが可能となる。
【発明を実施するための最良の形態】
【００１０】
（第１の実施の形態）
図１は本発明におけるネットワークシステムの構成を表す図である。図１において、１０１は電力供給を行なうＰｏＥ対応のＨＵＢ、１０２は動作要求をうけ動作を行なう消費電力管理装置を備えたネットワークカメラである。１０３はネットワークカメラ１０２と同一のグループに属し、ネットワークカメラ１０２からの電力消費要求を受信するネットワークカメラである。即ち、ネットワークカメラは相互に通信を行う。１０５はネットワークカメラ１０２の動作要求を行い、またネットワークカメラ１０２の設定を行うための管理用ＰＣである。
【００１１】
ネットワークカメラ１０２は、管理用ＰＣ１０５から動作要求を受信すると、動作に必要な使用電力量から動作を行なうか否かの判定を行なってから動作を開始する。
【００１２】
図２は動作要求を受信したネットワークカメラが消費電力量から動作可能であるかの判定を行い、制御動作を行う際の処理の流れを表すフローチャートである。図５はネットワークカメラのブロック図、図６は予め設定を行う特定グループと特定不ループ内で使用可能な使用可能総消費電力を設定するための設定画面を表す図である。図７は予め決められているネットワークカメラの動作ごとの使用消費電力量をあらわした図である。
【００１３】
はじめに、図６および図７を用いて、本発明におけるネットワークカメラの設定方法と、消費電力管理テーブルについて説明する。
【００１４】
本発明ではシステムを安定動作させるために、７０７で指定する数値と最大供給電力量から特定の消費電力量を減算した結果とを動作の可否判定に使用する。
【００１５】
こうすることで特定グループ内のＰＳＥ(Ｐｏｗｅｒ  Ｓｏｕｒｃｉｎｇ  Ｅｑｕｉｐｍｅｎｔ:給電装置、以下ＰＳＥと表記)に対して新たなネットワーク機器が接続された場合にも安定して動作するようにするものである。
【００１６】
本実施形態では、ＩＥＥＥ８０２．３ａｆで規定されているＰＳＥにより供給可能な上限の電力、約３２５ｍＡ(約１５Ｗ）を特定消費電力とする。
【００１７】
管理者はネットワークカメラを設置し、電力管理グループに登録するため、７０５にグループ名を、７０６に通信に使用するアドレスを、７０７にグループで使用可能な合計電力量を指定し、ＯＫボタンを押すことによりネットワークカメラの機器内に設定値の保存を行う（記憶工程）。
【００１８】
さらに、この設定パネル７０２では、参照ボタン７１１を押すと、７１２に示される表示領域に既に設置されているネットワークカメラにより構成される電力管理グループの表示を行なうことが可能となっている。管理者はこの情報を参照し、ネットワークカメラの電力管理設定を行うことが可能となっている。
【００１９】
次に図２及び図５等を使用してネットワークカメラが動作要求を受信してから、実際に動作を行なうまでの処理の手順を説明する。まず、図５のブロック図について説明する。６０３はＡＦ制御を行うＡＦ制御部、６０４は、ＡＥ制御を行うＡＥ制御部、６０５はズーム制御を行うズーム制御部、６０６は、ＩＲフィルタを施す場合に用いるＩＲフィルタ制御部である。６０７は、ネットワークカメラ間の通信等を制御する通信制御部であり、６０８はネットワークカメラが撮像した画像を圧縮等する映像圧縮制御部である。６０１はシステムの各部への電力供給等を制御する電力制御部であり、その内部に記憶手段を有し、電力管理テーブル６１１、及び総消費電力量６１２を記憶する。以下、処理の手順を説明する。
【００２０】
ネットワークカメラ１０２はカメラ動作要求を受信すると（ステップＳ２０１）、まず制御要求の種類の判定を行なう。
【００２１】
要求された動作がクライアントの接続要求を行う（ステップＳ２０２）。受信画像サイズの変更要求（ステップＳ２０７）またはＩＲフィルタ操作要求（ステップＳ２０８）であった場合には、要求された動作が可能であるかを判定するために、消費電力の確認を行う（ステップＳ２０３）。
【００２２】
この確認では６１２に示される現在の総消費電力量（総電力量）と、図７に示される動作ごとの使用電力量から必要な電力量を算出し、７０７で指定した使用可能電力量と比較を行なう。そして、得られた使用電力量が使用可能電力量よりも小さければ動作可能と判定する（ステップＳ２０４、総電力量算出工程及び判定工程）。
【００２３】
ステップＳ２０４で動作可能と判定されると次に、電力消費の通知を行ない（ステップＳ２０５）、要求された動作を実行する（ステップＳ２０６）。
【００２４】
ステップＳ２０２、ステップＳ２０７およびステップ２０８の判定結果、ズーム動作要求であった場合（ステップＳ２０９）について説明する。この場合、最初にＡＦ(Ａｕｔｏ  Ｆｏｃｕｓ:自動焦点制御、以下ＡＦと表記）およびＡＥ(Ａｕｔｏ  Ｅｘｐｏｒｓｕｒｅ:自動露光制御、以下ＡＥと表記)をともに使用した場合の使用電力量の確認を行なう（ステップＳ２１０）。そして、次に動作可能判定を行なう（ステップＳ２１１）。
【００２５】
この時および後述のＡＦのみ使用時、ＡＥのみ使用時の動作可能判定は前述の接続要求、受信画像サイズの変更要求またはＩＲフィルタ操作要求の場合の動作可能判定と同様の手段を使用する。
【００２６】
ステップＳ２１１で、ＡＦ、ＡＥともに使用する場合の動作可能判定で動作不可能と判断されると、次にＡＦのみ動作させた場合の動作可能判定を行なう（ステップＳ２１２）。ここで、動作可能と判断されると、ＡＥを停止した状態として、ズーム動作実行後にＡＥ動作を行なうフラグをセットし（ステップＳ２１４）、要求されたズーム動作を実行する（ステップＳ２１６）。
【００２７】
ズーム動作実行終了後、フラグを判定して指定された動作、この場合はＡＥ動作を実行する（ステップＳ２１７）。
【００２８】
ＡＦのみ動作させた状態での動作判定ステップＳ２１２で動作不可能と判断された場合には、ＡＥのみ動作させた場合の動作可能判定を行なう（ステップＳ２１３）。
【００２９】
ＡＥのみ動作させた場合の動作が可能と判定されると、ＡＦ動作を停止した状態として、ズーム実行後にＡＦ動作を行なうフラグをセットし（ステップＳ２１５）、要求されたズーム動作を実行する（ステップＳ２１６）。
【００３０】
ズーム動作実行終了後、フラグを判定して指定された動作、この場合はＡＦ動作を実行する（ステップＳ２１７）。
【００３１】
ネットワークカメラ１０２は、ステップＳ２０６およびステップＳ２１７の動作が終了すると、使用した電力の解放通知を行ない（ステップＳ２１９）、再びカメラ制御要求受信待ちとなる。
【００３２】
いずれの判定でも動作不可能と判定された場合には動作不可能の通知を動作要求を行なったクライアントに通知し（ステップＳ２１８）、再びカメラ制御要求受信待ちとなる。
【００３３】
（第２の実施形態）
前述の第１の実施の形態では、動作可能の判定を、動作を行なうネットワークカメラ１０２自身の内部に記憶している総電力使用量のみを使用して、動作可能であるか否かの判定を行なった。
【００３４】
しかしながら、それぞれのネットワークカメラは非同期で動作するために、同時に複数のネットワークカメラに対して動作要求が送られた場合には、同時に動作を行なってしまい、総使用電力量を上回ってしまう可能性がある。
【００３５】
この問題を解決するために、動作を行なう前に同一グループ内の他のネットワークカメラ１０３と通信を行ない、総使用可能電力量を越えないような同時動作を抑制する方法について説明する。
【００３６】
図３および図４はある特定の消費電力を使用可能であるかの判定を行う場合の電力要求側のネットワークカメラ１０２と、電力要求を受信したネットワークカメラ１０３の消費電力管理の処理の流れを表したフローチャートである。図３および図４を使用して、ネットワークカメラ１０２が動作を行う場合に行う消費電力量管理の手順を説明する。
【００３７】
電力要求を行うネットワークカメラ１０２は、特定の消費電力を使用可能であるかをネットワーク上のほかのネットワークカメラ１０３に問い合わせを行う前に、自機の管理する総消費電力量を確認する（ステップＳ３０１）。さらに、動作を行うことが可能であるかの判定を行う（ステップＳ３０２）。自機の管理する総消費電力量とこれから使用する消費電力量の和が予め設定された使用可能総消費電力量を上回る場合には、動作不許可と判定を行う。
【００３８】
ステップＳ３０２において動作可能と判定されると、次に特定のグループ内の他のネットワークカメラ１０３に問い合わせを行なうための繰り返しカウンタを０にクリアする（ステップＳ３０３）。そして、使用消費電力量要求の同報通信を行ない（ステップＳ３０４、問い合わせ工程）、特定グループ内の他のネットワークカメラ１０３からの応答待ちとなる（ステップＳ３０５）。
【００３９】
要求を受信した消費電力の判定を行うネットワークカメラ１０３では（ステップＳ４０１）、受け取った要求が電力使用要求であるか、電力開放通知であるかの判定を行い（ステップＳ４０２）、電力使用要求である場合には総消費電力量判定動作を行う。
【００４０】
まず現在の総使用消費電力と受信した予定消費電力量の和をとり（ステップＳ４０３）、得られた結果があらかじめ設定されている総使用可能消費電力との比較を行なうことで、要求された消費電力量が使用可能であるかの判定を行う（ステップＳ４０４）。
【００４１】
要求を許可する場合にはＡＣＫ情報の送信を行ない（ステップＳ４０５）、動作を行なうネットワークカメラからの通知受信待ちとなる（ステップＳ４０８）。
【００４２】
ステップＳ４０４において要求された消費電力量が使用不可能であると判定した場合には要求拒否のためのＮＡＣＫ情報の送信を行い（ステップＳ４１０）、総消費電力管理処理を終了する。
【００４３】
次に通知受信処理ステップＳ４０６で通知を受信すると、通知内容が電力使用通知であるか、電力解放通知であるかの判定を行なう（ステップＳ４０７）。
【００４４】
電力使用通知であった場合には受けとった使用電力量と総消費電力量とを加算し（ステップＳ４０８）、得られた総消費電力量の保存を行い（ステップＳ４０９）、総使用消費電力管理処理を終了する。
【００４５】
ステップＳ４０６で受信した通知内容が電力使用取消通知であった場合にはそのまま総使用消費電力管理処理を終了する。
【００４６】
ステップＳ４０１において動作を行うネットワークカメラ１０２から受信した要求が電力解放要求であった場合には、総使用消費電力量から受信した解放電力量を減算する（ステップＳ４１１）。そして、得られた総消費電力量の保存を行い（ステップＳ４０９）、総使用消費電力管理処理を終了する。
【００４７】
一方、電力消費の要求を行なった、特定のグループ内の他のネットワークカメラ１０３からの応答待ちとなっている動作を行なうネットワークカメラ１０２では、他のネットワークカメラ１０３からの判定結果を受けとると、すべての判定結果の判定を行なう。そして、すべてがＡＣＫ応答であった場合には動作許可の判定結果を返す（ステップＳ３０６）。
【００４８】
一つでもＮＡＣＫ応答があった場合、ＡＣＫを返してきたネットワークカメラ１０３に対して電力使用取消通知を行ない（ステップＳ３０８）、繰り返し処理のためのカウンタを１加算する（ステップＳ３０９）。
【００４９】
次に加算して得られたカウンタ値と予め決められた値とカウンタ値の比較を行ない（ステップＳ３１０）、カウンタが予め決められた値よりも大きい場合には動作不許可の判定結果を返す。
【００５０】
カウンタが予め決められた値よりも小さい場合には、ステップＳ３０４の使用消費電力量要求の同報通知から処理を繰り返す。
【図面の簡単な説明】
【００５１】
【図１】本発明の実施の形態に係るネットワークシステムの構成を示す図である。
【図２】本発明の第１の実施の形態に係るネットワークカメラの制御動作開始時のフローチャートである。
【図３】本発明の第２の実施の形態に係るネットワークカメラの動作可能判定の処理のフローチャートである。
【図４】本発明の第２の実施の形態に係るネットワークカメラの電力消費要求データ受信時の処理のフローチャートである。
【図５】本発明の実施の形態に係るネットワークカメラのブロック図である。
【図６】本発明の実施の形態に係るネットワークカメラの電力使用量を設定したテーブルを示す図である。
【図７】本発明の実施の形態に係るネットワークカメラについての電力管理設定画面を示す図である。
【符号の説明】
【００５２】
１０１  ＰｏＥ対応イーサネット(登録商標)ＨＵＢ
１０２、１０３  ネットワークカメラ
１０５  管理用ＰＣ
６１０  電力制御部
【図１】
2008141878.tif 000003
【図２】
2008141878.tif 000004
【図３】
2008141878.tif 000005
【図４】
2008141878.tif 000006
【図５】
2008141878.tif 000007
【図６】
2008141878.tif 000008
【図７】
2008141878.tif 000009